(57)【特許請求の範囲】
【請求項１】
複数枚の光磁気ディスクを格納するストッカーと、このストッカーから光磁気ディスクを取り出し機構と、とりだされた光磁気ディスクを記録再生する複数の光磁気ディスク記録再生機とを備えたコマーシャルメッセージ・バンク装置を用いて、コマーシャルメッセージ素材が記録された複数の光磁気ディスクから、一本化されたコマーシャルメッセージ・ビデオテープを収録するにあたり、
前記複数の光磁気ディスク記録再生機のうちの１台を重複コマーシャルメッセージ専用機として選定し、
一本化ビデオテープ内の重複するコマーシャルメッセージについては最初の一回に限り該コマーシャルメッセージを前記重複コマーシャルメッセージ専用機に収録し、その後の重複コマーシャルメッセージは前記重複コマーシャルメッセージ専用機から直接に一本化ビデオテープに収録することを特徴とする一本化コマーシャルメッセージ・ビデオテープを収録する方法。
【発明の詳細な説明】
【０００１】
【発明の属する技術分野】
本発明は、テレビジョン放送局におけるコマーシャルメッセージ（以下ＣＭと言う）放送にあたり、放送順に一本化されたビデオテープ（オンエア・ビデオテープ）をＣＭバンク装置を用いて編集・収録する方法に関する。
【０００２】
【従来の技術】
一本化ＣＭビデオテープ（オンエア・ビデオテープ）の収録にはＣＭバンク装置が使用されている。特開平０３−２４８３９０号に記載されているように、ＣＭバンク装置は、予め広告代理店などから持ち込まれた光磁気ディスクに記録されたＣＭ素材を光磁気ディスク記録再生機（ビデオファイルレコーダ）に収録し、放送順の１日分のビデオテープに編集する装置である。
【０００３】
ＣＭバンク装置は、数十枚の光磁気ディスクを格納するストッカー部と、複数の光磁気ディスク記録再生機（ビデオファイルレコーダ）と、ストッカー部から光磁気ディスク記録再生機にディスクを搬送するオートチェンジャーと、光磁気ディスク記録再生機の出力信号を切り替える映像・音声スイッチャー部と、ビデオテープレコーダ（ＶＴＲ）で構成されている。
このオートチェンジャーを使用したＣＭバンク装置は、１台の光磁気ディスク記録再生機が一本化収録を終えた後、他の光磁気ディスク記録再生機が一本化収録を行っている間に、ディスクの交換を終了し、連続収録を可能とすることを図ったものである。
【０００４】
【発明が解決しようとする課題】
しかしながら、現状では、１枚の光磁気ディスクの交換に約６０秒を要するので、１ＣＭ当たりの放映時間を１５秒として収録時間を計算すると、光磁気ディスク記録再生機が４台の場合には、
１５秒（１ＣＭ）×３台＝４５秒（ディスク交換の許容時間）  ＜  約６０秒（ディスク交換時間）
その結果、待ち時間は、６０秒−４５秒＝１５秒となり、１ＣＭ収録ごとにディスク交換待ち時間が発生し、一本化収録に時間がかかる。
【０００５】
本発明の目的は、ＣＭバンク装置を用いて一本化ＣＭビデオテープを収録するにあたり、ディスク交換の回数を最小限にし、処理時間を短縮することにある。
【０００６】
【課題を解決するための手段】
本発明は、ＣＭバンク装置を用いて一本化ＣＭビデオテープを収録するにあたり、複数の光磁気ディスク記録再生機のうちの１台を重複ＣＭ専用機として選定し、一本化ビデオテープ内の重複するＣＭについては最初の一回に限り該ＣＭを前記重複ＣＭ専用機に収録し、その後の重複ＣＭは前記重複ＣＭ専用機から直接に一本化ビデオテープに収録することを特徴とするものである。
【０００７】
本発明によれば、一本化データ内に重複ＣＭが存在する場合には、この重複ＣＭを最初に一本化収録するときに、同時に重複ＣＭ専用機にも収録を行い、その後の重複ＣＭの一本化収録作業はディスク交換無しで重複ＣＭ専用機から行う。従って、ディスク交換の回数を最小限にし、一本化ＣＭビデオテープの収録時間を短縮することができる。
【０００８】
【発明の実施の形態】
次に、本発明の実施例について図面を参照しながら説明する。
図１を参照するに、ＣＭバンク装置は、ＣＭ素材が記録された数十枚の光磁気ディスクを格納することの可能な光磁気ディスクカートと呼ばれるストッカー部１０と、互いに同一の複数の光磁気ディスク記録再生機（ビデオファイルレコーダ。ＶＦ機ともいう）からなる光磁気ディスク記録再生機列（ＶＦ機列）１２と、光磁気ディスクをストッカー部１０から取り出して光磁気ディスク記録再生機にセットするアーム付きのオートチェンジャー１４と、光磁気ディスク記録再生機列１２の出力信号を切り替える映像・音声スイッチャー部１６と、放送順に一本化されたビデオテープ（オンエア・ビデオテープ）を編集・収録するＶＴＲ１８を備えている。
【０００９】
図示した実施例では、光磁気ディスク記録再生機列１２は、３台の非重複ＣＭ用の光磁気ディスク記録再生機２０（＃１〜＃３ＶＦ機）と、重複ＣＭのみを収録するための重複ＣＭ専用機（重複ＣＭ専用ＶＦ機）２２に区分されている。
【００１０】
図２に示したように、映像・音声スイッチャー部１６は、重複ＣＭが初めて存在したときにのみ、ＶＴＲ１８への収録のスタートタイミングと同時にＶＴＲ１８と重複ＣＭ専用機２２への同時収録を行うようになっている。
【００１１】
次に、図３のタイムチャートと図４および図５のフローチャートを参照にしながら本発明の一本化ＣＭビデオテープの編集・収録方法を説明する。
【００１２】
本発明によれば、ＣＭバンク装置により一本化ビデオテープを作成するにあたり、重複ＣＭが存在したときに、ＣＭ素材をＶＴＲ１８と重複ＣＭ専用機２２に同時収録することにより作業時間が短縮される。
図３において、ＶＴＲ１８は前のＣＭ素材を収録中のためステータスは収録（ＲＥＣ）状態にある。
次のＣＭ素材が重複ＣＭであり、かつ、初めて収録するＣＭである場合には、いづれかの光磁気ディスク記録再生機２０と重複ＣＭ専用機２２のキューアップを同時に行い、−３秒スタートにより光磁気ディスク記録再生機２０の再生と重複ＣＭ専用機２２の収録を同時に行う。
【００１３】
より詳しくは、図４のフローチャートを参照するに、先ず、一本化ビデオテープ収録の事前処理として、ＶＴＲ収録を一本化データ順に行うための制御ファイルに、重複ＣＭ識別フラグ（Ｆ）を予め付加する。
このため、一本化収録処理プログラムが起動され（ステップＳ１）、制御ファイルの作成が開始されると（ステップＳ２）、先ず、全てのＣＭについて制御ファイルのフラグを「０」にする（ステップＳ３）。
そして、制御ファイルを最後から検索し、重複ＣＭが存在するか否かをチェックし（ステップＳ４）、重複ＣＭが存在した場合には、フラグを「１」にする（ステップＳ５）。
これを全てのＣＭについて行う（ステップＳ６）。
【００１４】
次に、制御ファイルを先頭から検索し、フラグが「０」と数字以外のＣＭを検出する（ステップＳ７）。フラグが「０」と数字以外のＣＭデータが存在したならば、そのＣＭ以降の重複ＣＭのフラグを「＊」にする（ステップＳ８）。以上の処理を最終ＣＭまで行う（ステップＳ８）。
【００１５】
これにより、制御ファイルの重複ＣＭ識別フラグは以下のように分別される。
フラグ  ＝  ０  ：  重複ＣＭが存在しないＣＭ
フラグ  ＝  ＊  ：  重複ＣＭ（重複ＣＭ専用ＶＦ機に収録済み）
フラグ  ＝  上記以外  ：  重複ＣＭ（重複ＣＭ専用ＶＦ機とＶＴＲに同時収録するＣＭ）
【００１６】
次に、図５のフローチャートを参照しながら、一本化ビデオテープの収録を説明する。
一本化収録は、図４のフローチャートに基づいて前述した制御ファイルに従って実行される。概略的に述べるに、一本化収録は、ＣＭ素材の収録前に制御ファイルの重複ＣＭ識別フラグをサーチし、フラグに応じて光磁気ディスク記録再生機２０および２２やＶＴＲ１８を制御することにより行われる。
【００１７】
より詳しくは、一本化収録が開始されると、収録するＣＭが存在するかどうかをチェックし（図５のフローチャートのステップＳ１１）、収録するＣＭが存在する場合には１ＣＭの収録を開始し（ステップＳ１２）、先ず、その制御ファイルについて重複ＣＭが存在するか否かをフラグ（Ｆ）に基づいてチェックする（ステップＳ１３）。
【００１８】
重複ＣＭが存在する場合（Ｆ≠０）には、更に重複ＣＭが収録済みかどうかをチェックする（ステップＳ１４）。重複ＣＭが収録済みでない場合（Ｆ≠＊）には、光磁気ディスク記録再生機２０（＃１〜＃３ＶＦ機）からＶＴＲ１８および重複ＣＭ専用機（重複ＣＭ専用ＶＦ機）２２への同時収録を行うため、該当光磁気ディスク記録再生機２０と重複ＣＭ専用機２２とＶＴＲ１８のスタンバイを夫々行い（ステップＳ１５）、図３のタイムチャートに従い同時収録を行う。
【００１９】
最初の重複ＣＭの同時収録が終わると（ステップＳ１６）、ステップＳ１２に戻って次のＣＭの収録を開始し、次のＣＭが重複ＣＭか否かをチェックする（ステップＳ１３）。次のＣＭが重複ＣＭでなければ（Ｆ＝０）、該当する光磁気ディスク記録再生機２０からＶＴＲ１８への収録を行い（ステップＳ１７）、ステップ１２へ戻る。
【００２０】
その後のＣＭが重複ＣＭであり、この重複ＣＭが既に重複ＣＭ専用機２２へ収録済み（Ｆ＝＊）であるならば（ステップＳ１４）、ＣＭ素材を収録済みの重複ＣＭ専用機２２からＶＴＲ１８への収録を行う（ステップＳ１８）。
以上の処理は制御ファイル内のすべてのＣＭがＶＴＲ１８に収録されるまで行われる。
【００２１】
このようにして収録された一本化ビデオテープの一例を図６に示す。
図６の例においては、ＣＭ１が重複ＣＭであり、この重複ＣＭ１に関しては、最初の一回のみディスク交換を行い、その際、一本化ビデオテープへの収録と重複ＣＭ専用機２２への同時収録が行われる。ＣＭ１に関するその後の一本化ビデオテープへの収録（図６の例において重複２回目〜重複５回目）はディスク交換なしで行われる。
【００２２】
本発明によれば、例えば、一本化データ内に重複ＣＭが１０ＣＭある場合には、ディスク交換の回数を９回分削減することができる。従って、従来は、６０（秒）×１０＝６００（秒）を要していたのに対して、本発明では、６０（秒）×１＝６０（秒）で足り、５４０秒（ディスク交換を９回分）を削減することができる。
また、このようなＣＭ素材が一本化データ内に１０ＣＭ存在すると、
５４０（秒）×１０（ＣＭ）＝５４００（秒）＝９０（分）
となり、９０分収録時間が短縮されることになる。
本発明によれば、重複ＣＭの数が増えれば増えるほど、従来の方法との収録時間の差が大きくなる。
【００２３】
【発明の効果】
本発明によれば、従来のＣＭバンク装置のハードウェアの基本構成を変更することなく、ディスク交換の回数を減らす事が可能となり、一本化収録作業をより迅速に行うことが可能となる。また、本発明の効果は、重複ＣＭの数が増えれば増えるほど顕著となる。
更に、ディスクの交換回数が大幅に削減されるので、ストッカー部、オートチェンジャー部、光磁気ディスク記録再生機等の劣化が大幅に回避される。
【図面の簡単な説明】
【図１】本発明の方法の実施に使用するＣＭバンク装置のブロック図である。
【図２】図１に示したＣＭバンク装置の一部のブロック図である。
【図３】本発明の一本化ビデオテープ収録方法における同時収録のタイミングチャートである。
【図４】本発明の一本化ビデオテープ収録の事前処理のフローチャートである。
【図５】本発明の一本化ビデオテープ収録方法のフローチャートである。
【図６】本発明の方法により収録された一本化ビデオテープの一例を示す。
【符号の説明】
１４：  オートチェンジャー
２０：  光磁気ディスク記録再生機
２２：  重複ＣＭ専用機
【図１】
0003548947.tif 000002
【図２】
0003548947.tif 000003
【図３】
0003548947.tif 000004
【図４】
0003548947.tif 000005
【図５】
0003548947.tif 000006
【図６】
0003548947.tif 000007